(57)【特許請求の範囲】
【請求項１】
洗濯竿が架設された浴室に設置され、ノズルから湯水を噴霧して前記浴室の湿度と温度を上昇させるミストサウナ装置において、
前記ノズルが、前記洗濯竿に複数取り付けられ、
前記洗濯竿が、前記ノズルの各々に前記湯水を分流させて供給する流路が内部に形成されており、
前記流路は、前記洗濯竿の長手方向に形成されるメイン流路と、前記メイン流路から分岐して前記ノズルに接続する分岐流路とを備え、
前記メイン流路は、上流側の流路断面積よりも下流側の流路断面積の方が小さい
ことを特徴とするミストサウナ装置。
【請求項２】
請求項１に記載するミストサウナ装置において、
前記ノズルが、前記洗濯竿に回転可能に取り付けられている
ことを特徴とするミストサウナ装置。
【請求項３】
請求項２に記載するミストサウナ装置において、
前記洗濯竿に固定され、前記流路に連通する固定側連通路を有する固定側ノズル受け部と、
前記固定側ノズル受け部に回転自在に取り付けられ、前記ノズルが斜め下方に湯水を噴霧する姿勢で中心から偏った位置に取り付けられており、前記固定側連通路から供給された湯水を前記ノズルへ供給する回転側連通路を有する回転側ノズル受け部と、を有する
ことを特徴とするミストサウナ装置。
【請求項４】
洗濯竿が架設された浴室に設置され、ノズルから湯水を噴霧して前記浴室の湿度と温度を上昇させるミストサウナ装置において、
前記ノズルが、前記洗濯竿に複数取り付けられ、
前記洗濯竿が、前記ノズルの各々に前記湯水を分流させて供給する流路が内部に形成され、
前記洗濯竿に固定され、前記流路に連通する固定側連通路を有する固定側ノズル受け部と、
前記ノズルが斜め下方に湯水を噴霧する姿勢で中心から偏った位置に取り付けられており、前記固定側連通路から供給された湯水を前記ノズルへ供給する回転側連通路を有する回転側ノズル受け部と、
前記固定側ノズル受け部に前記回転側ノズル受け部を回転自在に取り付ける軸と、を有し、
前記固定側連通路から前記回転側連通路を介して前記ノズルに前記湯水を供給し、前記ノズルから前記湯水を噴霧する際に、前記ノズルに対して前記回転側ノズル受け部の中心からずれた方向に力が作用し、前記力が前記ノズルを介して前記回転側ノズル受け部に作用し、前記回転側ノズル受け部を前記固定側ノズル受け部に対して回転させることで、前記ノズルが回転する
ことを特徴とするミストサウナ装置。
【発明の詳細な説明】
【技術分野】
【０００１】
本発明は、浴室やシャワー室に設置するミストサウナ装置に関する。
【背景技術】
【０００２】
ミストサウナは、血流促進効果、体温保温効果、リラックス効果、美容効果など、種々の面で優れている。そのため、一般家庭でも、ミストサウナ装置の導入を検討することが増えてきている。
【０００３】
ここで、ミストサウナ装置は、ノズル、ヒータ、送風ファンなどの機器が必要となり、設備が大型になる傾向にある。一方、一般家庭の浴室は、１坪前後のものが多く、浴室空間が限られている。従って、狭い浴室空間を有効活用しながらミストサウナ装置を設置する技術が求められている。
【０００４】
例えば、特許文献１には、浴槽の内壁面にハンドグリップを備え、ハンドグリップに、浴槽内を洗浄するための湯水を噴出する洗浄ノズルと、浴槽内でミスト浴を行うための湯水を噴出するミストノズルとが取り付けられており、ハンドグリップは中空部を備え、中空部が洗浄ノズルあるいはミストノズルへ湯水を供給する配管通路となっており、中空部の配管通路は洗浄ノズルへ湯水を供給する洗浄配管部と、ミストノズルへ湯水を供給するミスト配管部とに分けられており、洗浄配管部とミスト配管部への湯水の供給が切替弁により切り替えられる技術が記載されている。
【先行技術文献】
【特許文献】
【０００５】
【特許文献１】特開２００９−６０９８４号公報
【発明の概要】
【発明が解決しようとする課題】
【０００６】
しかしながら、従来のミストサウナ装置は、浴槽内のハンドグリップから噴霧した湯水が、浴槽内で冷やされて水滴となり、浴室全体へ行き渡りにくかった。そのため、従来のミストサウナ装置は、浴室内を有効に加湿・昇温させることが難しかった。
【０００７】
本発明は、上記問題点を解決するためになされたものであり、狭い浴室空間を有効利用して、ミストサウナ状態を効率よく作ることができるミストサウナ装置を提供することを目的とする。
【課題を解決するための手段】
【０００８】
本発明は、次のような構成を有している。
（１）洗濯竿が架設された浴室に設置され、ノズルから湯水を噴霧して前記浴室の湿度と温度を上昇させるミストサウナ装置において、前記ノズルが、前記洗濯竿に複数取り付けられ、前記洗濯竿が、前記ノズルの各々に前記湯水を分流させて供給する流路が内部に形成されており、前記流路は、前記洗濯竿の長手方向に形成されるメイン流路と、前記メイン流路から分岐して前記ノズルに接続する分岐流路とを備え、前記メイン流路は、上流側の流路断面積よりも下流側の流路断面積の方が小さいことを特徴とする。
ここで、湯水とは、温水または冷水をいう。
【０００９】
（２）（１）に記載の発明において、前記ノズルが、前記洗濯竿に回転可能に取り付けられていることを特徴とする。
【００１０】
（３）（２）に記載の発明において、前記洗濯竿に固定され、前記流路に連通する固定側連通路を有する固定側ノズル受け部と、前記固定側ノズル受け部に回転自在に取り付けられ、前記ノズルが斜め下方に湯水を噴霧する姿勢で中心から偏った位置に取り付けられており、前記固定側連通路から供給された湯水を前記ノズルへ供給する回転側連通路を有する回転側ノズル受け部と、を有することを特徴とする。
【００１１】
（４）洗濯竿が架設された浴室に設置され、ノズルから湯水を噴霧して前記浴室の湿度と温度を上昇させるミストサウナ装置において、前記ノズルが、前記洗濯竿に複数取り付けられていること、前記洗濯竿が、前記ノズルの各々に前記湯水を分流させて供給する流路が内部に形成されていること、前記洗濯竿に固定され、前記流路に連通する固定側連通路を有する固定側ノズル受け部と、前記ノズルが斜め下方に湯水を噴霧する姿勢で中心から偏った位置に取り付けられており、前記固定側連通路から供給された湯水を前記ノズルへ供給する回転側連通路を有する回転側ノズル受け部と、前記固定側ノズル受け部に前記回転側ノズル受け部を回転自在に取り付ける軸と、を有すること、前記固定側連通路から前記回転側連通路を介して前記ノズルに前記湯水を供給し、前記ノズルから前記湯水を噴霧する際に、前記ノズルに対して前記回転側ノズル受け部の中心からずれた方向に力が作用し、前記力が前記ノズルを介して前記回転側ノズル受け部に作用し、前記回転側ノズル受け部を前記固定側ノズル受け部に対して回転させることで、前記ノズルが回転することを特徴とする。
【発明の効果】
【００１２】
上記ミストサウナ装置は、洗濯竿が架設された浴室に設置され、ノズルから湯水を噴霧して浴室の湿度と温度を上昇させるミストサウナ装置において、ノズルが、洗濯竿に複数取り付けられ、洗濯竿が、ノズルの各々に湯水を分流させて供給する流路が内部に形成されているので、ミストサウナ入浴を行う場合には、浴室に架設された洗濯竿のノズルから湯水を噴霧してミストを浴室全体に行き渡らせ、浴室の湿度と温度を上昇させる。一方、ミストサウナ入浴を行わない場合には、洗濯竿を物干しとして使用することが可能である。このように、洗濯竿に、物干しとしての機能と、ノズルから湯水を噴霧する機能とを兼ね備えさせたので、洗濯竿と別に、新たにノズル等の設備を浴室の天井や側壁などに設置する必要がなく、狭い浴室空間を有効利用して、ミストサウナ状態を効率よく作ることができる。
【００１３】
上記ミストサウナ装置は、ノズルが洗濯竿に回転可能に取り付けられているため、湯水の噴霧方向を変え、ミストが使用者の身体に当たる当たり方をランダムにできる。
【００１４】
上記ミストサウナ装置は、洗濯竿に固定され、洗濯竿の流路に連通する固定側連通路を有する固定側ノズル受け部と、固定側ノズル受け部に回転自在に取り付けられ、ノズルが斜め下方に湯水を噴霧する姿勢で中心から偏った位置に取り付けられており、固定側連通路から供給された湯水をノズルへ供給する回転側連通路を有する回転側ノズル受け部と、を有するので、ノズルから湯水を噴霧する際に、ノズルに対して回転側ノズル受け部の中心からずれた方向に力が作用する。その力は、ノズルを介して回転側ノズル受け部に作用し、回転側ノズル受け部を固定側ノズル受け部に対して回転させる。よって、上記ミストサウナ装置によれば、ノズルの向きを湯水の水圧によって自動的に変化させることができ、ノズルを回転させる駆動手段を別途設けなくても、簡単で安価な構造で、湯水の噴霧方向を変えることができる。
【００１５】
上記ミストサウナ装置は、流路が、洗濯竿の長手方向に形成されるメイン流路と、メイン流路から分岐してノズルに接続する分岐流路とを備え、メイン流路は、上流側の流路断面積よりも下流側の流路断面積の方が小さいので、洗濯竿に取り付けられた複数のノズルに供給する湯水の水圧を同程度にし、複数のノズルから浴室へミストをほぼ均一に噴霧することができる。
【図面の簡単な説明】
【００１６】
【図１】本発明の第１実施形態に係るミストサウナ装置を適用した浴室のイメージ図である。
【図２】同じく、ミストサウナ装置の概略構成を示す図である。
【図３】同じく、洗濯竿に取り付けられるノズルの構造を示す図である。
【図４】洗濯竿の内部流路構成を示す図である。
【図５】本発明の第２実施形態に係るミストサウナ装置に適用される洗濯竿の部分拡大図であって、ノズルの構造を示す図である。
【図６】ノズルが回転する原理を説明する図である。
【図７】回転するノズルからミストを噴出する様子を示すイメージ図である。
【図８】洗濯竿の変形例を示す図である。
【発明を実施するための形態】
【００１７】
以下に、本発明に係るミストサウナ装置の好ましい実施形態について、図面を参照しつつ詳細に説明する。
【００１８】
（第１実施形態）
図１は、本発明の第１実施形態に係るミストサウナ装置２０を適用した浴室１のイメージ図である。
浴室１は、浴槽２上の天井１ａに、浴室暖房乾燥機３が設置されている。浴槽２の上方には、２本の洗濯竿４，４が架設されている。洗濯竿４は、両端部が浴室１の側壁１ｂに固定され、浴室暖房乾燥機３から送り出される温風が洗濯竿４にかかっている洗濯物に当たって洗濯物を乾燥させるようにされている。浴室１の側壁１ｂには、リモコン１１が取り付けられている。リモコン１１は、換気モード、衣類乾燥モード、暖房モード、涼風モード、２４時間換気モード、ミストサウナモードを選んで実行できる機能を有する。本発明は、洗濯竿４が物干しとしての機能と、ノズル２２から温水又は冷水（以下「湯水」という。）を噴霧する機能を兼ね備える点に特徴を有する。
【００１９】
図２は、ミストサウナ装置２０の概略構成を示す図である。
ミストサウナ装置２０は、暖房用熱源５から床暖房などの暖房器具へ送られる温水を熱源として利用している。暖房用熱源５には、暖房用熱源５で加熱された温水を循環させる温水回路６が接続されている。熱交換器８は、温水回路６と、水道水を供給する給水回路７に接続され、給水回路７を流れる水道水と温水回路６を流れる温水との間で熱交換を行い、水道水を加熱するものである。開閉弁９は、通常、弁閉状態にされており、リモコン１１によりミストサウナモードが設定されると、弁開して水道水を熱交換器８に供給する。流量調整弁１２は、温水回路６上に配設され、湯水回路１０に流れる湯水の温度を制御している。
【００２０】
ここで、通常、給湯器では、給湯水を作るのに、最低３Ｌ／ｍｉｎぐらいの湯量（最低作動流量）が必要である。つまり、給湯器は、３Ｌ／ｍｉｎ以下の湯量では稼働しない。一方、ミストサウナ装置は、給湯器の最低作動流量よりもっと少ない湯量でも、浴室にミストサウナ環境にすることができる。そのため、給湯器の湯水を利用する方式では、水や、湯水を作るためのガスを余分に使うことになり、無駄が生じる。それに対して、本実施形態のミストサウナ装置２０は、暖房用熱源５で作られる暖房用温水を用い、熱交換器８で水道水と熱交換することにより、給湯器の最低作動流量より少ない流量の水道水を温水にすることができ、節水や省エネが図れるようにしている。
【００２１】
熱交換器８は、湯水回路１０を介して洗濯竿４に接続されている。洗濯竿４には、複数のノズル２２が長手方向に均等に配置され、取り付けられている。本実施形態では、１０個のノズル２２Ａ、２２Ｂ、２２Ｃ、２２Ｄ、２２Ｅ、２２Ｆ、２２Ｇ、２２Ｈ、２２Ｉ、２２Ｊが洗濯竿４に取り付けられている。ミストサウナ装置２０の動作は、リモコン１１を介して入力された設定条件（浴室温度、浴室湿度、保温時間等）に従って制御される。
【００２２】
図３は、洗濯竿４に取り付けられるノズルの構造を示す図である。
ノズル２２は、湯水回路１０に接続される雄ねじ部２２ｂと、湯水を噴出する噴出口２２ａを備える。噴出口２２ａは、広角に湯水を噴霧するように構成されている。ノズル２２は、湯水を細かい粒子で噴霧する。本実施形態では、ノズル２２Ａ〜２２Ｊは、１００μｍ以下のミストを噴霧する。
【００２３】
図４は、洗濯竿４の内部流路構成を示す図である。
洗濯竿４の中心には、長手方向に沿って、第１メイン流路４１と第２メイン流路４２が連続して形成されている。第１メイン流路４１は、第２メイン流路４２より流路断面積が大きくされている。洗濯竿４は、第１メイン流路４１から第２メイン流路４２へ湯水が流れるように、湯水回路１０に接続されている。第１メイン流路４１は、分岐流路４３Ａ，４３Ｂ，４３Ｃ，４３Ｄ，４３Ｅを介してノズル２２Ａ〜２２Ｅに接続されている。また、第２メイン流路４２は、分岐流路４３Ｆ，４３Ｇ，４３Ｈ，４３Ｉ，４３Ｊを介してノズル２２Ｆ〜２２Ｊにそれぞれ接続されている。
【００２４】
このようなミストサウナ装置２０は、リモコン１１にミストサウナモードを実行する指示が入力されると、予め設定された設定条件に従って、動作を開始する。
【００２５】
具体的には、開閉弁９が開き、水道水を熱交換器８へ供給する。開閉弁９は、例えば、各ノズル２２Ａ〜２２Ｊが０．０２ｌ/ｍｉｎずつ湯水を噴霧するように、水道水の供給量を制御する。熱交換器８は、暖房用熱源５から供給される温水により、水道水を給湯温度に加熱する。給湯温度は、ミストサウナモード実行時における浴室温度に外気温などの外乱を考慮して自動的に計算される。ミストサウナモード実行時における浴室温度は、使用者がリモコン１１に任意に設定できる。そのため、使用者は、例えば、夏場には浴室温度を２８度に設定したり、冬場には浴室温度を４３度に設定するなど、適宜変更できる。例えば、浴室温度が４３度に設定された場合、熱交換器８は、給湯温度を７０度とするように、温水回路６を流れる温水で給水回路７を流れる水道水を加熱する。加熱された湯水は、湯水回路１０を介して洗濯竿４へ供給される。
【００２６】
湯水は、第１メイン流路４１から第２メイン流路４２へ向かって流れる。その間に、湯水は、第１及び第２メイン流路４１，４２から分岐流路４３Ａ〜４３Ｊへそれぞれ分流され、ノズル２２Ａ〜２２Ｊから浴室１へ噴霧される。第２メイン流路４２は、第１メイン流路４１より流路断面積が小さい。そのため、複数のノズル２２Ａ〜２２Ｊから湯水を噴霧しても、下流側のノズル２２Ｆ〜２２Ｊへ供給される湯水に水圧が、上流側のノズル２２Ａ〜２２Ｅへ供給される湯水に水圧と同程度となる。よって、複数のノズル２２Ａ〜２２Ｊからほぼ均等にミストが噴霧される。湯水は、ノズル２２Ａ〜２２Ｊから噴霧される際には７０度程度であるが、噴霧後に浴室１の空気に冷却されて温度が設定温度に低下する。浴室１に設定温度のミストが広がることにより、浴室１の湿度と温度が上昇する。浴室１の湿度と室温がミストサウナモードの設定値に達すると、その設定値を維持するように、ノズル２２Ａ〜２２Ｊからミストが噴霧される。
【００２７】
ノズル２２Ａ〜２２Ｊに供給される湯水の流量は、０．０２ｌ／ｍｉｎと少ない。しかも、ノズル２２Ａ〜２２Ｊは、１００μｍ以下の細かい粒子でミストを噴霧する。よって、入浴者は、ミストが肌に直接当たる感覚がなく、しっとりと肌が潤う体感を得ることができる。
【００２８】
リモコン１１でミストサウナモードが設定されていない場合には、開閉弁９が弁閉する。そのため、洗濯竿４のノズル２２Ａ〜２２Ｊからは湯水が噴霧されない。この場合、洗濯竿４には、ハンガーなどがつるされ、洗濯物が干される。特に、リモコン１１で衣類乾燥モードを設定すれば、洗濯竿４に干した洗濯物に温風を当てて、衣類を乾燥させることができる。
【００２９】
以上説明したように、本第１実施形態のミストサウナ装置２０は、洗濯竿４が架設された浴室１に設置され、ノズル２２から湯水を噴霧して浴室１の湿度と温度を上昇させるものにおいて、ノズル２２が、洗濯竿４に複数取り付けられ、洗濯竿４が、ノズル２２の各々に湯水を分流させて供給する流路４１，４２，４３が内部に形成されているので、ミストサウナ入浴を行う場合には、洗濯竿４のノズル２２から湯水を噴霧してミストを浴室１の全体に行き渡らせ、浴室１の湿度と温度を上昇させる。一方、ミストサウナ入浴を行わない場合には、洗濯竿４を物干しとして使用することが可能である。このように、洗濯竿４に、物干しとしての機能と、ノズル２２から湯水を噴霧する機能とを兼ね備えさせたので、洗濯竿４と別に、新たにノズル２２等の設備を浴室１の天井１ａや側壁１ｂなどに設置する必要がなく、狭い浴室空間を有効利用して、ミストサウナ状態を効率よく作ることができる。
【００３０】
また、上記ミストサウナ装置２０は、流路４１，４２，４３が、洗濯竿４の長手方向に形成されるメイン流路４１，４２と、メイン流路４１，４２から分岐してノズル２２に接続する分岐流路４３とを備え、メイン流路４１，４２は、上流側の第１メイン流路４１の流路断面積よりも下流側の第２メイン流路４２の流路断面積の方が小さいので、洗濯竿４に取り付けられた複数のノズル２２Ａ〜２２Ｊに供給する湯水の水圧を同程度にし、複数のノズル２２Ａ〜２２Ｊから浴室１へミストをほぼ均一に噴霧することができる。
【００３１】
（第２実施形態）
続いて、本発明の第２実施形態について説明する。図５は、本発明の第２実施形態に係るミストサウナ装置に適用される洗濯竿４の部分拡大図であって、ノズル２２の構造を示す図である。図６は、ノズル２２が回転する動作原理を説明する図である。図７は、回転するノズルからミストを噴出する様子を示すイメージ図である。尚、図５〜図７では、ノズル２２を簡略化して記載しており、また、図面を見やすくするために分岐流路４３とノズル２２の添え字Ａ〜Ｊを省略して記載している。
第２実施形態のミストサウナ装置は、洗濯竿４に対してノズル２２が回転自在に取り付けられている点が、相違する。
【００３２】
図５に示すように、ノズル２２は、固定側ノズル受け部３３と回転側ノズル受け部３４とを介して洗濯竿４に取り付けられている。固定側ノズル受け部３３は、分岐流路４３に対応して、それぞれ洗濯竿４に固定されている。固定側ノズル受け部３３は、分岐流路４３に連通する固定側連通路３３ａが形成されている。一方、回転側ノズル受け部３４は、固定側ノズル受け部３３に軸３５を介して回転自在に取り付けられている。回転側ノズル受け部３４には、固定側連通路３３ａに連通する回転側連通路３４ａが形成されている。固定側連通路３３ａと回転側連通路３４ａとの接続部分は、図示しないシール部材によりシールされ、湯水が流路接続部分から漏れないようにされている。
【００３３】
図５及び図６に示すように、ノズル２２は、回転側ノズル受け部３４の下面に対して、中心から外側へずれた位置に偏って取り付けられている。また、ノズル２２は、斜め下方へ湯水を噴霧する姿勢で、回転側ノズル受け部３４に取り付けられている。図５に示すように、固定側連通路３３ａと回転側連通路３４ａは、分岐流路４３から真下に供給された湯水をノズル２２へ向かって斜めに供給するように、形成されている。
【００３４】
このような洗濯竿４では、分岐流路４３に供給された湯水が固定側連通路３３ａと回転側連通路３４ａを介してノズル２２へ供給され、ノズル２２から噴霧される。このとき、ノズル２２は、図６の矢印Ｆ１に示すように、固定側連通路３３ａと回転側連通路３４ａを介して斜め下向きに湯水を供給され、ミストを噴出する。このとき、ノズル２２には、図６に示すように、湯水を噴霧する方向（ミストを噴出する方向）と反対向きの力Ｆ２が作用する。ノズル２２は、湯水を斜め下方に噴出する姿勢で、回転側ノズル受け部３４に偏って取り付けられている。図６に示すように、力Ｆ２をｘｙｚ軸方向へ分解すると、ｘ軸方向の力Ｆ３は、回転側ノズル受け部３４を固定側ノズル受け部３３に対して軸支させる軸３５に固定され、動かない。また、ｙ軸方向の力Ｆ４は、洗濯竿４に固定されて、動かない。これに対して、ｚ軸方向の力Ｆ５だけは、固定されていない。そのため、回転側ノズル受け部３４は、力Ｆ５に従って、図中Ｋ方向へ回転する。つまり、ノズル２２は、分岐流路４３から供給される湯水の水圧によって自動的に回転し、ミストを噴出する方向を変化させる。
【００３５】
よって、第２実施形態のミストサウナ装置によれば、ノズル２２が洗濯竿４に回転可能に取り付けられているため、湯水の噴霧方向を変え、ミストが使用者の身体に当たる当たり方をランダムにできる。
特に、図７に示すように、洗濯竿４に取り付けられた複数のノズル２２が、分岐流路４３から供給される湯水の水圧によってミストの噴出方向をバラバラに変えるため、使用者の身体にミストが当たる当たり方がより一層ランダムとなり、使用者に心地よさを与えることができる。
【００３６】
そして、第２実施形態のミストサウナ装置は、洗濯竿４に固定され、分岐流路４３に連通する固定側連通路３３ａを有する固定側ノズル受け部３３と、固定側ノズル受け部３３に回転自在に取り付けられ、ノズル２２が斜め下方に湯水を噴霧する姿勢で中心から偏った位置に取り付けられており、固定側連通路３３ａから供給された湯水をノズル２２へ供給する回転側連通路３４ａを有する回転側ノズル受け部３４と、を有するので、ノズル２２から湯水を噴霧する際に、ノズル２２に対して回転側ノズル受け部３４の中心からずれた方向に力が作用する。その力は、ノズル２２を介して回転側ノズル受け部３４に作用し、回転側ノズル受け部３４を固定側ノズル受け部３３に対して回転させる。よって、第２実施形態のミストサウナ装置によれば、ノズル２２の向きを湯水の水圧によって自動的に変化させることができ、ノズル２２を回転させる駆動手段を別途設けなくても、簡単で安価な構造で、湯水の噴霧方向を変えることができる。
【００３７】
尚、本発明は、上記実施形態に限定されることなく、色々な応用が可能である。
たとえば、洗濯竿４に変えて、図８に示す洗濯竿５０を浴室１に架設しても良い。洗濯竿５０は、メイン流路５１，５３，５２が長手方向に連続して形成されている。洗濯竿５０の両端部から開設されたメイン流路５１，５２は、その間のメイン流路５３より流路断面積が大きくされている。洗濯竿５０は、湯水がメイン流路５１，５２の両方向から供給される。湯水は、ノズル２２Ａ〜２２Ｃ、２２Ｈ〜２２Ｊから噴霧されるため、中心部へ向かって水圧が低下する。しかし、メイン流路５１，５２を接続するメイン流路５３の流路断面積がメイン流路５１，５２より小さいため、メイン流路５３を流れる湯水の水圧がメイン流路５１，５２と同程度となり、ノズル２２Ａ〜２２Ｊから湯水がほぼ均等に噴霧される。
また、洗濯竿４のメイン流路は、流路断面積が上流側から下流側へ向かって連続して小さくなる略円錐形状に設けてもよい。
また、上記実施形態では、１つのリモコン１１で浴室暖房乾燥とミストサウナの制御を行うようにしたが、浴室暖房乾燥用のリモコンとミストサウナ用のリモコンを別個に設けても良い。
また、上記実施形態では、リモコン１１で設定した浴室温度を設定するようにした。これに対して、ノズル２２に供給される湯水の温度（給湯温度）に応じて浴室温度を自動設定するようにしても良い。具体的には、例えば、使用者は、リモコン１１により、給湯温度を冷水、４０度、５０度、６０度、７０度に適宜変更できるようにする。給湯温度が７０度に設定された場合、熱交換器８は湯水回路１０を流れる湯水の温度が７０度になるように、温水回路６を流れる温水の湯量を調整し、給水回路７を流れる水道水を加熱する。加熱された水道水は、湯水回路１０を介して洗濯竿４に供給される。また、リモコン１１で給湯温度が冷水に設定された場合には、流量調整弁１２を閉じて温水回路６を流れる温水を止め、給水回路１０を流れる水道水をそのまま湯水回路１０を介して洗濯竿４へ供給する。これらの場合、ノズル２２からは、湯水がリモコン１１で設定した給湯温度で噴霧され、浴室１１に給湯温度のミストが広がることにより、浴室１の湿度と温度が上昇する。
また、上記実施形態では、洗濯竿４へ供給する湯水の湯量を０．０２Ｌ／ｍｉｎとしたが、洗濯竿４に供給される湯量はこれに限定されるものでなく、適宜設定することができる。
【符号の説明】
【００３８】
１  浴室
４  洗濯竿
２０  ミストサウナ装置
２２Ａ〜２２Ｊ  ノズル
３３  固定側ノズル受け部
３３ａ  固定側連通路
３４  回転側ノズル受け部
３４ａ  回転側連通路
４１  第１メイン流路（流路、メイン流路に相当）
４２  第２メイン流路（流路、メイン流路に相当）
４３Ａ〜４３Ｊ  分岐流路
５０  洗濯竿
５１、５２、５３  メイン流路
５４Ａ〜５４Ｊ  分岐流路
【図１】
0005596608.tif 000002
【図２】
0005596608.tif 000003
【図３】
0005596608.tif 000004
【図４】
0005596608.tif 000005
【図５】
0005596608.tif 000006
【図６】
0005596608.tif 000007
【図７】
0005596608.tif 000008
【図８】
0005596608.tif 000009